(57)【要約】【課題】レールと転動部材との取付位置を独立して設定可能なチェストを提供する。【解決手段】引出１３を合成樹脂で矩形容器状に形成し、各側面１０１の下部に引出側レール１１１を設ける。引出側レール１１１を側面部１２１と底面部１２２とからなる断面Ｌ字状に形成し、側面部１２１の上縁に側方向けて延出した天面部１２３を設ける。引出側レール１１１の側面部１２１を引出１３の側面１０１沿って配置し、底面部１２２を引出１３の底面に沿って配置する。これにより、引出側レール１１１を引出１３の底部側の角部に設ける。引出１３の側面１０１後端部に取付部１１５を設け、取付部１１５に支持部品８０を挿入した状態で固定する。これにより、支持部品８０に設けられたローラー９２を引出側レール１１１の延長上に配置する。【選択図】図５
0003124791.tif 000002
【実用新案登録請求の範囲】
【請求項１】
フレームに出し入れ自在に収容される引出に、レールと転動部材とが設けられたチェストにおいて、
前記レールと前記転動部材とを別体で構成したことを特徴とするチェスト。
【請求項２】
前記レールを前記引出より硬質な部材で構成したことを特徴とする請求項１記載のチェスト。
【請求項３】
前記引出を合成樹脂で形成する一方、前記レールを金属で構成したことを特徴とする請求項１又は２記載のチェスト。
【請求項４】
前記レールを、断面Ｌ字状に形成するとともに、前記引出の底部側の角部に配置したことを特徴とする請求項１、２又は３記載のチェスト。
【考案の詳細な説明】
【技術分野】
【０００１】
本考案は、衣類や小物などを収容するチェストに関する。
【背景技術】
【０００２】
従来、衣類や小物などを収納する際には、チェストが用いられていた。
【０００３】
このチェストは、フレームと、該フレームに出し入れ自在に収容される引出とを備えている。
【０００４】
前記引出には、当該引出の移動をガイドするレールが設けられており、該レールには、摺接抵抗を減少する為のローラーが設けられている。
【考案の開示】
【考案が解決しようとする課題】
【０００５】
しかしながら、このようなチェストにあっては、ローラーがレールに固定されているため、位置調整をすることができなかった。
【０００６】
このため、例えば引出の長さ寸法を変更する等の仕様変更が生じた際には、これに対応することができなかった。
【０００７】
本考案は、このような従来の課題に鑑みてなされたものであり、レールと転動部材との取付位置を独立して設定可能なチェストを提供することを目的とするものである。
【課題を解決するための手段】
【０００８】
前記課題を解決するために本考案の請求項１のチェストにあっては、フレームに出し入れ自在に収容される引出に、レールと転動部材とが設けられたチェストにおいて、前記レールと前記転動部材とを別体で構成した。
【０００９】
すなわち、前記引出に設けられる前記レールと前記転動部材とは、別体で構成されている。
【００１０】
このため、前記引出への前記レールの取付位置と前記転動部材の取付位置とは、独立して設定される。
【００１１】
また、請求項２のチェストにおいては、前記レールを前記引出より硬質な部材で構成した。
【００１２】
すなわち、前記レールは、前記引出より硬質な部材で構成されている。このため、前記引出に前記レールが取り付けられることによって前記引出は補強される。
【００１３】
さらに、請求項３のチェストでは、前記引出を合成樹脂で形成する一方、前記レールを金属で構成した。
【００１４】
すなわち、前記引出は、合成樹脂で形成されており、前記レールは、合成樹脂より硬質な金属で形成されている。
【００１５】
これにより、前記レールによる前記引出の補強効果が高められる。
【００１６】
加えて、請求項４のチェストにあっては、前記レールを、断面Ｌ字状に形成するとともに、前記引出の底部側の角部に配置した。
【００１７】
すなわち、前記レールは、断面Ｌ字状に形成されており、このレールは、前記引出の底部側の角部に取り付けられる。
【００１８】
これにより、前記引出の角部における変形が前記レールによって防止される。
【考案の効果】
【００１９】
以上説明したように、本考案の請求項１のチェストにあっては、引出に取り付けられるレールと転動部材とを別体で構成することによって、前記引出への前記レールの取付位置と前記転動部材の取付位置とを独立して設定することができる。
【００２０】
このため、ローラーがレールに固定された従来と比較して、前記レール及び前記転動部材の取付位置を独立して調整をすることができる。
【００２１】
したがって、例えば引出の長さ寸法を変更する等の仕様変更が生じた場合であっても、これに対応することができる。
【００２２】
また、請求項２のチェストにおいては、前記レールを、前記引出より硬質な部材で構成したため、前記引出に前記レールを取り付けることによって、前記引出を補強することができる。
【００２３】
さらに、請求項３のチェストでは、前記引出を合成樹脂で形成する一方、前記レールを合成樹脂より硬質な金属で形成したので、前記レールによる前記引出の補強効果を高めることができる。
【００２４】
加えて、請求項４のチェストにあっては、前記レールを断面Ｌ字状に形成し、当該レールを前記引出の底部側の角部に取り付けることによって、前記引出の角部を補強することができる。
【００２５】
これにより、前記引出の角部における変形を、前記レールによって防止することができる。
【考案を実施するための最良の形態】
【００２６】
以下、本考案の一実施の形態を図に従って説明する。図１は、本実施の形態にかかるチェスト１を示す図であり、該チェスト１は、衣類や小物などを収納するものである。
【００２７】
このチェスト１は、図２にも示すように、フレーム１１を形成するチェスト本体１２と、該チェスト本体１２に設けられた矩形容器状の引出１３，１３とによって構成されている。
【００２８】
前記チェスト本体１２を形成する前記フレーム１１は、上下に連結された二つ合成樹脂製のフレーム構成部材２１，２１によって構成されており、下段のフレーム構成部材２１の底面２２裏側には、キャスター２３，・・・が四隅に設けられている。上段のフレーム構成部材２１には、合成樹脂製の天板２４が設けられており、両フレーム構成部材２１，２１間及び上段のフレーム構成部材２１と前記天板２４間には、合成樹脂製の前記引出１３，１３が引き出し自在に保持されている。
【００２９】
前記フレーム構成部材２１は、図３に示すように、中央部に矩形開口部３１が形成された長方形状の底板部３２と、該底板部３２の四隅に一体形成された支柱３３，・・・とによって構成されており、当該フレーム構成部材２１は、前記支柱３３，・・・の長さ方向に型開きされる金型によって形成されている。
【００３０】
該支柱３３は、四角柱状に形成されており、前記底板部３２に起立した支柱本体４１と、該支柱本体４１の上端部に設けられた挿入部４２とによって一体形成されている。該挿入部４２は、前記支柱本体４１より小径に形成されており、前記挿入部４２が起立した前記支柱本体４１の上端には、段差部４３が形成されている。下段のフレーム構成部材２１の支柱３３の挿入部４２は、上段のフレーム構成部材２１の支柱３３下部に挿入された状態で固定されており、上段のフレーム構成部材２１の支柱３３の挿入部４２は、前記天板２４に挿入された状態で固定されている。
【００３１】
前記フレーム構成部材２１における前後の支柱３３，３３間には、フレーム側レール５１が設けられている。
【００３２】
すなわち、両支柱３３，３３間には、下部側壁面６１が両支柱３３，３３の下部に一体形成されており、該下部側壁面６１には、内側へ向けて突出した上方ガイド部６２が当該フレーム構成部材２１の前記底板部３２の底面２２に沿って形成されている。上方ガイド部６２は、その奥側に欠損した切欠部６５が設定されており、当該上方ガイド部６２は、奥側の支柱３３より手前側で終了するように構成されている。これにより、当該フレーム構成部材２１には、前記上方ガイド部６２と、該上方ガイド部６２に対向した前記底板部３２の対向部位が構成する下方ガイド部６３とによって、前記フレーム側レール５１が構成されている。
【００３３】
このフレー構成部材２１の支柱３３，３３の内側面には、内側に突出した突出部７１，７１が上端部から下端に渡って形成されており、前方Ｆ側に配置された支柱３３における前記突出部７１は、下端部において前方に延出している。この前方に突出した前方突出部７２には、上下に延在する溝状の取付部７３が形成されており、該取付部７３は、当該フレーム構成部材２１を形成する金型の金型移動方向７４に延在するとともに、当該金型が型抜き時に移動される方向と同方向である上方へ向けて開口するように構成されている。
【００３４】
この取付部７３の上方開口部８１からは、図４に示すように、支持部を構成する支持部品８０が挿入された状態で固定されるように構成されている。
【００３５】
この支持部品８０を構成するベース部材８２は、合成樹脂によって形成されており、矩形状のベース本体８３と、該ベース本体８３より下方に延出した下方延出部８４とによって構成されている。該下方延出部８４の先端には、係合爪８５が設けられており、当該支持部品８０を、前記取付部７３に挿入した状態で、前記係止爪８５が前記底板部３２の底面２２に係合するように構成されている。このとき、前記取付部７３への前記ベース部材８３の抜き差し方向は、前記金型移動方向７４と一致するように設定されている。
【００３６】
また、前記ベース本体８３には、図４に示したように、円形穴９１が設けられており、該円形穴９１には、転動部材としての金属製のローラー９２を挿通した軸部９３が固定されるように構成されている。これにより、当該ベース部材８２には、前記ローラー９２が回動自在に支持されており、当該ベース部材８２を、図３に示したように、前記取付部７３に固定した状態で、前記ローラー９２を前記フレーム側レール５１の延長上に配置できるように構成されている。
【００３７】
このフレーム構成部材２１の左右の支柱３３，・・・間に保持される前記引出１３は、合成樹脂によって形成されており、図５にも示すように、上方が開口した矩形容器状に形成されている。この引出１３は、上下方向に型開きされる金型によって成形されており、左右の側面１０１，１０１の横幅寸法及び前面１０２並びに後面１０３の奥行き寸法は、抜き勾配によって下方へ向かうに従って小さくなるように形成されている。これにより、対向した左右の側面１０１，１０１と、対向した前面１０２及び後面１０３は傾斜するとともに、内径寸法が上方へ向かうに従って広がるように設定されており、引出１３，１３同士を重ねて保管できるように構成されている。
【００３８】
この引出１３には、各側面１０１，１０１の下部に引出側レール１１１が固定されており、該引出側レール１１１は、前記フレーム１１より硬質の金属によって構成されている。
【００３９】
この引出側レール１１１は、側面部１２１と底面部１２２とからなる断面Ｌ字状に形成されており、前記側面部１２１の上縁には側方向けて延出した天面部１２３が設けられている。この引出側レール１１１は、前記側面部１２１が前記引出１３の側面１０１沿って配置されるとともに、前記底面部１２２が前記引出１３の底面に沿って配置された状態で固定されるように構成されている。これにより、前記引出側レール１１１は、前記引出１３の底部側の角部に配置されている。
【００４０】
前記引出１３の前記側面１０１の後端部には、例えば前記フレーム構成部材２１に形成された溝状の取付部７３と同構造の取付部１１５が設けられており（図３参照）、当該取付部１１５には、前記支持部品８０が挿入された状態で固定されている。これにより、当該引出１３には、前記支持部品８０に設けられた転動部材としての前記ローラー９２が回転自在に設けられており、該ローラー９２は、前記引出側レール１１１の延長上に配置されるように構成されている。
【００４１】
なお、前記支持部品８０の取付方法は、これに限定されるものではなく、他の方法で取り付けても良い。
【００４２】
これにより、図６に示すように、前記引出１３より側方に突出した前記ローラー９２は、前記フレーム構成部材２１に設けられた前記フレーム側レール５１に案内される一方、前記フレーム構成部材２１に設けられた前記ローラー９２は、前記引出１３に設けられた前記引出側レール１１１の天面部１２３に案内されるように構成されている。
【００４３】
そして、前記フレーム１１から前記引出１３を引き出す際には、前記フレーム構成部材２１に設けられた前記ローラー９２が前記引出１３に設けられた前記引出側レール１１１の前記天面部１２３を支持する一方、前記引出１３が当該引出１３の荷重によって前のめりになった際には、該引出１３に設けられた前記ローラー９２が前記フレーム構成部材２１に形成された前記フレーム側レール５１の前記上方ガイド部６２に支持されるように構成されている（図示省略）。さらに、前記引出１３を引き出した際には、図７に示すように、前記引出１３側のローラー９２が前記フレーム側レール５１から離脱することによって、当該引出１３をチェスト本体１２から取り出せるように構成されている。
【００４４】
以上の構成にかかる本実施の形態において、前記引出１３に設けられた前記引出側レール１１１と転動部材としてのローラー９２とは、別体で構成されており、前記引出１３への前記引出側レール１１１の取付位置と、前記ローラー９２の取付位置とを独立して設定することができる。
【００４５】
このため、ローラーがレールに固定された従来と比較して、前記引出側レール１１１及び前記ローラー９２の取付位置を独立して調整をすることができる。
【００４６】
したがって、例えば前記引出１３の長さ寸法を変更する等の仕様変更が生じた場合であっても、これに容易に対応することができる。
【００４７】
また、前記引出側レール１１１は、前記引出１３より硬質な部材で構成されている。このため、前記引出１３に前記引出側レール１１１を取り付けることによって、前記引出１３を補強することができる。
【００４８】
さらに、前記引出１３は合成樹脂で形成される一方、前記引出側レール１１１は金属で構成されている。
【００４９】
これにより、前記引出側レール１１１による前記引出１３の補強効果がを高めることができる。
【００５０】
加えて、前記引出側レール１１１は、断面Ｌ字状に形成されており、この引出側レール１１１は、前記引出１３の底部側の角部に取り付けられている。
【００５１】
これにより、前記引出１３の角部を補強することができ、前記引出１３の角部における変形を、前記引出側レール１１１によって防止することができる。
【図面の簡単な説明】
【００５２】
【図１】本考案の一実施の形態の正面を示す一部断面図である。
【図２】同実施の形態の側面図である。
【図３】同実施の形態のフレームを示す断面図である。
【図４】同実施の形態の支持部品を分解断面図である。
【図５】同実施の形態の引出を示す模式図である。
【図６】同実施の形態の動作を示す説明図である。
【図７】図６に続く動作を示す説明図である。
【符号の説明】
【００５３】
１    チェスト
１１    フレーム
１２    チェスト本体
１３    引出
９２    ローラー
１１１    引出側レール
【図１】
0003124791.tif 000003
【図２】
0003124791.tif 000004
【図３】
0003124791.tif 000005
【図４】
0003124791.tif 000006
【図５】
0003124791.tif 000007
【図６】
0003124791.tif 000008
【図７】
0003124791.tif 000009